(57)【要約】【課題】各種電子機器において、主に記録媒体の有無やメカニズムの動作検出等に用いられるレバースイッチに関し、長寿命化が図れ、操作の確実なものを提供することを目的とする。【解決手段】ケース１に回動可能に装着されたレバー１４下面の平坦部１４Ｃを、略逆コの字状の可動接点５の上折曲部５Ｅに弾接させることによって、可動接点５全体の撓みが小さくなり、応力も小さくなるため、操作回数の長寿命化が図れ、操作の確実なレバースイッチを得ることができる。【選択図】図１
2008071504.tif 000002
【特許請求の範囲】
【請求項１】
隣接する内側壁に共通接点と固定接点が植設された上面開口で略箱形のケースと、このケースに一端を支点として回動可能に装着され、他端の操作部が上記ケースの開口部から上方へ突出したレバーと、下腕部一端の接触部が上記共通接点に弾接し、他端の下折曲部から中腕部が上方へ延出すると共に、この中腕部上端の上折曲部から延出した上腕部端部の接点部が、上記固定接点またはその近傍の上記ケース内側壁に弾接した略逆コの字状の可動接点からなり、上記レバー下面の平坦部が上記可動接点の上折曲部に弾接したレバースイッチ。
【請求項２】
略Ｌ字状または略逆コの字状の弾性部材を設け、これを可動接点の所定箇所に重ねた請求項１記載のレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられるレバースイッチにおいても、小型薄型で動作の確実なものが求められている。
【０００３】
このような従来のレバースイッチについて、図５及び図６を用いて説明する。
【０００４】
図５は従来のレバースイッチの断面図であり、同図において、１は絶縁樹脂製で上面開口の略箱形のケースで、下内側壁には導電金属製の共通接点２が、これに隣接する右内側壁には同じく導電金属製の固定接点３が、インサート成形等によって各々植設固定されている。
【０００５】
そして、４は絶縁樹脂製のレバーで、右端の円柱状の支点部４Ａがケース１右上方の支持部１Ａに回動可能に装着されると共に、他端の操作部４Ｂがケース１の開口部から上方へ突出している。
【０００６】
また、５は弾性金属薄板製で略逆コの字状の可動接点で、全体がやや撓んだ状態でケース１内に収納されると共に、下腕部５Ａ右端に設けられた略コの字状の接触部５Ｂが、共通接点２とケース１の保持部１Ｂの間に圧入固定され、接触部５Ｂ下面突部が共通接点２に弾接している。
【０００７】
さらに、可動接点５の下腕部５Ａ左端には下折曲部５Ｃが形成され、この下折曲部５Ｃから中腕部５Ｄが上方へ延出すると共に、中腕部５Ｄ上端の上折曲部５Ｅから延出した上腕部５Ｆ端部の略円弧状の接点部５Ｇが、ケース１右内側壁の固定接点３に弾接している。
【０００８】
そして、レバー４下面の下方へ突出形成された押圧部４Ｃが、可動接点５の中腕部５Ｄ上端に弾接すると共に、この可動接点５やレバー４を収納したケース１の前面を、金属薄板製のカバー（図示せず）が覆って、レバースイッチが構成されている。
【０００９】
また、このように構成されたレバースイッチは、上下面に複数の配線パターンが形成された配線基板（図示せず）等に載置され、ケース１から外方へ突出した共通接点２や固定接点３の端子部が、所定の配線パターンに半田付けされて、機器の電子回路に電気的に接続される。
【００１０】
以上の構成において、テープやディスク等の記録媒体の挿抜、或いはツマミや扉等のメカニズムによって、ケース１から上方へ突出した操作部４Ｂが下方向へ押圧操作されると、図６の断面図に示すように、レバー４が支点部４Ａを支点として反時計方向へ回動する。
【００１１】
そして、このレバー４の回動操作に伴って、下面の押圧部４Ｃが可動接点５の中腕部５Ｄを押圧しながら下方へ弾接摺動することによって、可動接点５全体がさらに撓んで、接点部５Ｇが下方へ弾接摺動し、固定接点３下方のケース１右内側壁に弾接して、共通接点２と固定接点３間が電気的に切断された状態となる。
【００１２】
また、レバー４への操作力が解除されると、可動接点５の弾性復帰力によって、レバー４が上方向に押圧されて回動すると共に、接点部５Ｇもケース１右内側壁上を上方へ弾接摺動し、固定接点３に弾接して、可動接点５を介して共通接点２と固定接点３間が電気的に接続された、図５の状態に復帰するように構成されている。
【００１３】
つまり、レバー４の回動操作によって、押圧部４Ｃが可動接点５の中腕部５Ｄを押圧しながら下方へ弾接摺動して、可動接点５を弾性変形させ、この可動接点５の撓みによる弾性力によって、接点部５Ｇの固定接点３への弾接力や、操作力を解除した際のレバー４の復帰力が得られるようになっている。
【００１４】
すなわち、レバー４下面の押圧部４Ｃで可動接点５の中腕部５Ｄを押圧しているため、可動接点５全体の撓みが大きなものとなってしまい、接点部５Ｇの弾接力やレバー４の復帰力は大きな力が得られるが、その分、応力も大きくなってしまうものであった。
【００１５】
なお、この出願の発明に関連する先行技術文献情報としては、例えば、特許文献１が知られている。
【特許文献１】特開２００４−３１１１９２号公報
【発明の開示】
【発明が解決しようとする課題】
【００１６】
しかしながら、上記従来のレバースイッチにおいては、レバー４下面の押圧部４Ｃで可動接点５の中腕部５Ｄを押圧しているため、可動接点５全体の撓みが大きなものとなり、応力も大きくなってしまい、操作回数の長寿命化を図ることが困難であるという課題があった。
【００１７】
本発明は、このような従来の課題を解決するものであり、長寿命化が図れ、操作の確実なレバースイッチを提供することを目的とする。
【課題を解決するための手段】
【００１８】
上記目的を達成するために本発明は、以下の構成を有するものである。
【００１９】
本発明の請求項１に記載の発明は、ケースに一端を支点として回動可能に装着されたレバー下面の平坦部を、略逆コの字状の可動接点の上折曲部に弾接させてレバースイッチを構成したものであり、レバー下面の平坦部で可動接点の上折曲部やその近傍を押圧して、可動接点を撓ませることによって、可動接点全体の撓みが小さくなり、応力も小さくなるため、操作回数の長寿命化が図れ、操作の確実なレバースイッチを得ることができるという作用を有する。
【００２０】
請求項２に記載の発明は、請求項１記載の発明において、略Ｌ字状または略逆コの字状の弾性部材を設け、これを可動接点の所定箇所に重ねたものであり、可動接点の撓み力を大きくし、所望のレバーの操作力や復帰力、接点部の弾接力を得ることができるという作用を有する。
【発明の効果】
【００２１】
以上のように本発明によれば、長寿命化が図れ、操作の確実なレバースイッチを実現することができるという有利な効果が得られる。
【発明を実施するための最良の形態】
【００２２】
以下、本発明の実施の形態について、図１〜図４を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるレバースイッチの断面図、図２は同分解斜視図であり、同図において、１は液晶ポリマーやポリフェニレンサルファイト等の絶縁樹脂製で上面及び前面開放の略箱形のケースで、下内側壁には銅合金等の導電金属製の共通接点２が、これに隣接する右内側壁には同じく導電金属製の固定接点３が、インサート成形等によって各々植設固定されている。
【００２５】
そして、１４は液晶ポリマーやナイロン等の絶縁樹脂製のレバーで、右端の円柱状の支点部１４Ａがケース１右上方の支持部１Ａに回動可能に装着されると共に、他端の操作部１４Ｂがケース１の開口部から上方へ突出し、下面の支点部１４Ａ側には平坦部１４Ｃが、操作部１４Ｂ側には傾斜部１４Ｄが各々設けられている。
【００２６】
また、５は銅合金等の弾性金属薄板製で略逆コの字状の可動接点で、全体がやや撓んだ状態でケース１内に収納されると共に、下腕部５Ａ右端に設けられた略コの字状の接触部５Ｂが、共通接点２とケース１の保持部１Ｂの間に圧入固定され、接触部５Ｂ下面突部が共通接点２に弾接している。
【００２７】
さらに、可動接点５の下腕部５Ａ左端には下折曲部５Ｃが形成され、この下折曲部５Ｃから中腕部５Ｄが上方へ延出すると共に、中腕部５Ｄ上端の上折曲部５Ｅから延出した上腕部５Ｆ端部の略円弧状の接点部５Ｇが、ケース１右内側壁の固定接点３に弾接している。
【００２８】
そして、レバー１４下面の平坦部１４Ｃが、可動接点５の上折曲部５Ｅに弾接すると共に、この可動接点５やレバー１４を収納したケース１の前面を、鋼板等の金属薄板製のカバー６が覆って、レバースイッチが構成されている。
【００２９】
また、このように構成されたレバースイッチは、上下面に複数の配線パターンが形成された配線基板（図示せず）等に載置され、ケース１から外方へ突出した共通接点２や固定接点３の端子部が、所定の配線パターンに半田付けされて、機器の電子回路に電気的に接続される。
【００３０】
以上の構成において、テープやディスク等の記録媒体の挿抜、或いはツマミや扉等のメカニズムによって、ケース１から上方へ突出した操作部１４Ｂが下方向へ押圧操作されると、図３の断面図に示すように、レバー１４が支点部１４Ａを支点として反時計方向へ回動する。
【００３１】
そして、このレバー１４の回動操作に伴って、下面の平坦部１４Ｃが可動接点５の上折曲部５Ｅを押圧し可動接点５全体を撓ませながら、中腕部５Ｄの方向へ弾接摺動することによって、接点部５Ｇが下方へ弾接摺動し、固定接点３下方のケース１右内側壁に弾接して、共通接点２と固定接点３間が電気的に切断された状態となる。
【００３２】
なお、この時、略逆コの字状の可動接点５は、レバー１４下面の平坦部１４Ｃに上折曲部５Ｅやその近傍を押圧されて撓むため、レバー１４の回動操作寸法や接点部５Ｇの下方への摺動距離は同じであるにもかかわらず、可動接点５全体の撓みは小さなものとなり、応力も小さくなるように構成されている。
【００３３】
つまり、平坦部１４Ｃで上折曲部５Ｅを押圧することによって、可動接点５全体の撓みを小さくし、生じる応力を小さなものとして、操作回数の長寿命化を図ることが可能なようになっている。
【００３４】
また、レバー１４下面の操作部１４Ｂ側には傾斜部１４Ｄが設けられ、レバー１４を回動操作した際、傾斜部１４Ｄが可動接点５の中腕部５Ｄに当接しないようになっているため、平坦部１４Ｃによって上折曲部５Ｅを確実に押圧操作できるようになっている。
【００３５】
そして、レバー１４への操作力が解除されると、可動接点５の弾性復帰力によって、レバー１４が上方向に押圧されて回動すると共に、接点部５Ｇもケース１右内側壁上を上方へ弾接摺動し、固定接点３に弾接して、可動接点５を介して共通接点２と固定接点３間が電気的に接続された、図１の状態に復帰するように構成されている。
【００３６】
このように本実施の形態によれば、ケース１に回動可能に装着されたレバー１４下面の平坦部１４Ｃを、略逆コの字状の可動接点５の上折曲部５Ｅに弾接させることによって、可動接点５全体の撓みが小さくなり、応力も小さくなるため、操作回数の長寿命化が図れ、操作の確実なレバースイッチを得ることができるものである。
【００３７】
また、図４の断面図に示すように、略Ｌ字状で銅合金等の弾性金属薄板製の弾性部材１５を設け、これを可動接点５の下腕部５Ａと中腕部５Ｄの内方へ重ねて配置することによって、可動接点５の応力は小さなままで、弾性部材１５によって全体の撓み荷重を大きくできるため、レバー１４の操作力や復帰力を大きくすることができ、所望の荷重を得ることができる。
【００３８】
さらに、この弾性部材を略逆コの字状に形成し、接点部５Ｇを除く可動接点５全体の内方へ重ねて配置すれば、レバー１４の操作力や復帰力に加え、接点部５Ｇの固定接点３への弾接力も大きなものとすることができる。
【産業上の利用可能性】
【００３９】
本発明によるレバースイッチは、長寿命化が図れ、操作の確実なものが得られ、主に各種電子機器の検出用スイッチとして有用である。
【図面の簡単な説明】
【００４０】
【図１】本発明の一実施の形態によるレバースイッチの断面図
【図２】同分解斜視図
【図３】同操作時の断面図
【図４】同他の実施の形態による断面図
【図５】従来のレバースイッチの断面図
【図６】同操作時の断面図
【符号の説明】
【００４１】
１  ケース
１Ａ  支持部
１Ｂ  保持部
２  共通接点
３  固定接点
５  可動接点
５Ａ  下腕部
５Ｂ  接触部
５Ｃ  下折曲部
５Ｄ  中腕部
５Ｅ  上折曲部
５Ｆ  上腕部
５Ｇ  接点部
６  カバー
１４  レバー
１４Ａ  支点部
１４Ｂ  操作部
１４Ｃ  平坦部
１４Ｄ  傾斜部
１５  弾性部材
【図１】
2008071504.tif 000003
【図２】
2008071504.tif 000004
【図３】
2008071504.tif 000005
【図４】
2008071504.tif 000006
【図５】
2008071504.tif 000007
【図６】
2008071504.tif 000008